(57)【特許請求の範囲】
【請求項１】
車両の姿勢を保持するために車両に取り付けられたジャッキの先端に取り付けられて、車両が接地されている地面に接地するジャッキベースであって、
緯線と経線が交互に編まれて構成された布の繊維層にゴムが染みこまされて１枚のベルトに折り重ねられて圧縮加硫されて形成され、前記繊維層がゴム材で弾性的に固定されて成る第１の層と、
前記第１の層の上面に、ゴム材で形成された第２の層と、
前記第１の層の下面に、ゴム材で形成された第３の層とを備えるジャッキベース。
【請求項２】
前記第２の層は、前記ジャッキを受け止めると共に、当該ジャッキにより掛かる荷重を分散して前記第１の層に伝え、
前記第１の層は、前記分散して伝えられた荷重を受け止めると共に平均化して前記第３の層に伝えることを特徴とする、請求項１に記載のジャッキベース。
【請求項３】
前記第１の層と前記第３の層との間に中間層をさらに備え、
当該中間層は、前記第１の層と、緯線と経線が交互に編まれて構成された布の繊維層にゴムが染みこまされて１枚のベルトに折り重ねられて圧縮加硫されて形成され、前記繊維層がゴム材で弾性的に固定されて成る第４の層との間にゴム材で形成されていることを特徴とする、請求項１に記載のジャッキベース。
【請求項４】
前記第２の層は、前記ジャッキを受け止めると共に、当該ジャッキにより掛かる荷重を分散して前記第１の層に伝え、
前記第１の層は、前記分散して伝えられた荷重を受け止めると共に平均化して前記中間層に伝え、
前記中間層は、前記平均化されて伝えられた荷重をさらに平均化して前記第３の層に伝えることを特徴とする、請求項３に記載のジャッキベース。
【請求項５】
前記第１の層及び前記第４の層の少なくとも１方は、ベルトコンベア用の平ベルトが用いられることを特徴とする、請求項１及び請求項３の何れか一項に記載のジャッキベース。
【請求項６】
前記第２の層、第３の層、及び第４の層の形成に用いられるゴム材は、ゴムチップとゴムチップを繋ぐバインダとしての生ゴムから成るものであることを特徴とする、請求項１及び請求項３の何れか一項に記載のジャッキベース。
【発明の詳細な説明】
【技術分野】
【０００１】
本発明は、重心が移動する作業装置が装備された車両に取り付けられて、作業装置或いは車両の姿勢を保持するために用いられるジャッキの端部に取り付けられて接地するジャッキベースに関する。
【背景技術】
【０００２】
高所作業や穴掘り等の作業に用いられる作業用車両は、図６に示すように、トラック車両の車体に、吊り下げ、運搬、穴掘りなどの作業が行えるクレーンやショベルなどの作業装置が可動な状態で装備されている。このような作業用車両は、作業装置を所望の位置に移動させたり、所望の位置で作業をさせたりする場合に、その重心が移動したり重量自体が変動する。よって、作業用車両に対する作業装置による荷重の掛かり方が大きく変動するので、車両のタイヤでは重心移動を安定して受け止めることが出来ず、作業用車両の車体姿勢が不安定になりやすい。
【０００３】
その対策として、作業装置の重心の移動及び重量変動を受け止めて、作業用車両の姿勢を安定させるべく、作業装置を挟んで作業用車両の車体の両側部にジャッキＪを取り付け、ジャッキＪの先端部を作業用車両の設置面（地面）に接地させて、車体を支持するように構成される。ジャッキには、少なくとも作業装置の移動する重心および車両の重量の一部が掛かる。しかしながら、ジャッキが地面に接地する面（接地面）は掛かる重量に対して十分な大きさではないことが多い。そのために、強度が不足している軟弱な地面（舗装面）の場合には、ジャッキの先端で地面を破損したり、地面にめり込んだりする。一方、強度が十分な強固な地面（コンクリート面）の場合には、ジャッキの先端部が破損したり、ジャッキが地面をグリップ出来ずに表面を滑ったりする。何れの場合でも、ジャッキにより作業用車両の姿勢を安定保持できない。
【０００４】
上述の対策として、ジャッキの先端が地面に直接接地することを防ぐと共に、ジャッキの地面に対する接地面積を間接的に拡大することが有効である。つまり、接地面積を拡大することにより、単位面積当たりの接地圧を抑えて、軟弱地面への負荷を軽減し、ジャッキの地面へのめり込みを防止すると共に、ジャッキ自身の破損の防止を図る。この目的のために、ジャッキＪの先端部に取り付けられて、ジャッキＪが地面に直接接地するのを防ぐと共に、ジャッキＪの地面に対する接地面積を拡大するために用いられるジャッキベースＪＢが従来より実用化されている。ジャッキベースＪＢは、木材、プラスチック、金属、及びゴム等の材料により、概ね平板状に構成されている。
【０００５】
図７、図８、図９及び図１０に従来用いられているジャッキベースの一例を示す。図７に示すジャッキベースＪＢａは、その本体は木材により形成された平板であり、その周囲が鋼製のフレームで補強されている。ジャッキベースＪＢａは、木製平板の上面でジャッキＪを受け止めて、木製平板の下面側の鋼製フレームを介して地面に接地される。木製平板は、掛かる荷重を考慮して適切な大きさに構成される。
【０００６】
図８に示すジャッキベースＪＢｂは、木材の代わりに、プラスチックで構成されている（特許文献１参照）。なお、ジャッキベースＪＢｂは、ジャッキベースＪＢａとは異なり、鋼製フレームで補強されていない。ジャッキベースＪＢｂは、プラスチック製平板の上面でジャッキＪを受け止め、プラスチック製平板の下面で地面と接地する。プラスチック製平板は、掛かる荷重を考慮して適切な大きさに構成される。
【０００７】
図９に示すジャッキベースＪＢｃは、ジャッキベースＪＢｂのプラスチックとは異なるものの、同一の材料（ゴム）で全体が構成されている。つまり、ゴム製平板の上面でジャッキＪを受け止め、ゴム製平板の下面で地面と接地する（特許文献２参照）。
【０００８】
図１０に示すジャッキベースＪＢｄは、鋼鉄製の平板の下面にゴム製の平板が貼り付けられて構成され、鋼鉄製の平板の上面に木製のジャッキベースが載置されて使用される。鋼製平板の上面に載置された木製ジャッキベースでジャッキＪを受け止め、鋼製平板の下面に設けられたゴム製平板で地面と接地する（特許文献３参照）。
【先行技術文献】
【特許文献】
【０００９】
【特許文献１】実開平４−０２０５６１号
【特許文献２】実開平５−０５６７０５号
【特許文献３】実開平１−１０４８５１号
【発明の概要】
【発明が解決しようとする課題】
【００１０】
上述のジャッキベースＪＢａは、ジャッキＪを受け止める木製平板の上面が損傷し易い。また、地面に起伏や石などによる突起がある場合に、木製平板の下面が部分的に当接する。そのため、ジャッキＪを介して掛かる荷重は、木製平板の上面と下面の一部分にそれぞれに集中するため、木製平板はジャッキＪ或いは地面との当接で損傷しやすい。そして、損傷は木目に沿って進行して、木製平板の亀裂、ひいては破断を招く。なお、木製平板が亀裂あるいは破断した場合にでも、鋼製フレームによって、木製平板の飛散は防止されて、ジャッキベースＪＢａとして直ちに使用できなくなることはない。
【００１１】
しかしながら、平坦な地面の場合には、鋼製フレームは地面と当接するが、木製平板は鋼製フレームのために地面から浮いた状態になり、ジャッキベースＪＢａに掛かる荷重を木製平板の下面全体では無く周辺部で支えることになり、ジャッキベース本来の目的の一つである単位面積当たりの接地圧の低減という点に関して問題がある。なお、地面が段差などを有する形状の場合、主に鋼製フレームが地面と点或いは線当たりをするため接地圧の低減がより困難である。
【００１２】
さらに、ジャッキベースＪＢａの下面全体で地面に接地できないので、接地圧が高くても、地面に対するグリップ力が十分でない。そのため、地面が傾斜しているような場合や、また、クレーンなどの作業装置の運転による重心の移動により、ジャッキＪを介してジャッキベースＪＢａに掛かる荷重の向き及び方向が動的に変化する場合には、ジャッキベースＪＢａを地面に対して横方向に動かそうとする力が、接地面（部）における最大静止摩擦力や動摩擦力を容易に超える。このような場合、ジャッキベースＪＢａの地面に対するグリップは容易に失われて、ジャッキベースＪＢａは地面に対して横方向に移動してしまう。
【００１３】
また、荷重がその向きを含めて、動的に変化する場合には、荷重はジャッキＪ、ジャッキベースＪＢａ（木製平板、鋼製フレーム）、及び地面に対して、衝撃力として働くため、それらを損傷するおそれがあると共に、作業用車両の姿勢の安定保持上問題である。このような衝撃力を低減させるには、弾性構造が望ましいが、ジャッキベースＪＢａの木製平板および鋼製フレームは剛性構造である。
【００１４】
また、雨天時或いは水たまりでの使用などの作業環境によっては、木製平板及び鋼製フレームともに腐敗や錆による品質劣化が避けられない。腐敗は木製平板の亀裂や破断を早め、錆は補強材としての鋼製フレームの強度を弱め、ジャッキベースＪＢａ全体の寿命を縮める。
【００１５】
ジャッキベースＪＢｂは、平板がプラスチックで形成されると共に、鋼製フレームを備えない。プラスチック製平板は木製平板に比べて、水などに対する耐腐食性は高いものの、一般に強度が落ちる。さらに、鋼製フレームを有していないために、耐水性を除いては、ジャッキベースＪＢａよりも強度及び耐衝撃性が劣る。そのために、ジャッキベースＪＢｂをあまり厚くできないので、作業車両用としてではなく、工事現場の足場として用いられることが多い。また、プラスチックは木材に比べて耐候性が劣るので、寿命的にも問題がある。
【００１６】
ジャッキベースＪＢｃは、平板がゴムで形成されているので、ジャッキＪおよび地面形状に対する追随性及び耐衝撃性は本来は高い。しかしながら、ジャッキＪによって容易に且つ大きく変形するので、地面との接地面も変形してグリップ力が失われてしまいやすい。特に、荷重が動的に変化する際には、ゴム製平板も動的に変形するので、よりグリップ力が失われ易い。この可能性を低減するためには、ゴム製平板の厚さを制限する必要があり、やはり高さ要求を満たすことが非常に困難である。
【００１７】
ジャッキベースＪＢｄは、鋼製の平板の下面にゴム製平板が貼り付けられているので、地面形状に対する追随性に優れる。また、ジャッキＪを介して、木製のジャッキベースに局部的に掛けられた荷重は、鋼製平板によって均等化されて、下面のゴム製平板に伝えられる。つまり、ジャッキベースＪＢｄの地面に対する単位面積当たりの接地圧が効果的に低減できる。
【００１８】
しかしながら、荷重によるゴム製平板の変形は、鋼製平板の変形に比べて非常に大きい。特に、互いの貼り合わせ面に平行な方向への変形量は大きいので、ゴム製平板は鋼製平板から剥がれ易い。特に、荷重がその向きを含めて動的に変化する際には、鋼製平板に対するゴム製平板の変形量は特に大きいので、ゴム製平板はより容易に剥がれ易くなる。これは、上下面のゴム製平板に共通に言える。また、ゴム製平板の変形量は、その厚さに応じて決まるので、ゴム製平板の厚さは限定される。つまり、ゴム製平板はあまり厚く構成することが出来ないので、ジャッキベースＪＢｄに対する高さ要求を満たせない場合がある。
【００１９】
上述のように、従来のジャッキベースにおいては、高さ要求を満たせるジャッキベースＪＢａの場合には、地面に対する追随性が劣るためグリップ力が不足し、特に作業装置の運転中にはジャッキＪ或いは作業用車両の姿勢を安定的に保持出来ない問題がある。また、材質的に耐久性に問題がある。
【００２０】
ジャッキベースＪＢｂ、ジャッキベースＪＢｃ、及びジャッキベースＪＢｄは、材料及び構造に起因して強度が不足し、強度上の制約により高さ要求を満たすことが出来ない。また、使用用途が限定されるという問題がある。
【００２１】
上述の問題に鑑みて、本発明は強度、クッション性及びグリップ力を兼ね備えたジャッキベースを提供することを目的とする。
【課題を解決するための手段】
【００２２】
上記目的を達成するために、本発明に係るジャッキベースは、車両の姿勢を保持するために車両に取り付けられたジャッキの先端に取り付けられて、車両が接地されている地面に接地するジャッキベースであって、
緯線と経線が交互に編まれて構成された布の繊維層にゴムが染みこまされて１枚のベルトに折り重ねられて圧縮加硫されて形成され、前記繊維層がゴム材で弾性的に固定されて成る第１の層と、
前記第１の層の上面に、ゴム材で形成された第２の層と、
前記第１の層の下面に、ゴム材で形成された第３の層とを備える。
【発明の効果】
【００２３】
本発明によると、強度、クッション性及びグリップ力を兼ね備えたジャッキベースを提供できる。
【図面の簡単な説明】
【００２４】
【図１】本発明の実施の形態１に係るジャッキベースを示す斜視図である。
【図２】図１の強化層の内部構造を部分的に示す強化層の斜視図である。
【図３】図１の強化層の内部構造を示す強化層の部分断面図である。
【図４】図１のジャッキベースの機能の説明図である。
【図５】本発明の実施の形態２に係るジャッキベースを示す斜視図である。
【図６】ジャッキ及びジャッキベースを用いて作業用車両の車体を支持した状態を示す斜視図である。
【図７】従来の木製のジャッキベースの一例を示す斜視図である。
【図８】従来のプラスチック製のジャッキベースの一例を示す斜視図である。
【図９】従来のゴム製のジャッキベースの一例を示す斜視図である。
【図１０】従来の、鋼製平板とゴム製平板とを組み合わせたジャッキベースの一例を示す側面図である。
【発明を実施するための形態】
【００２５】
（実施の形態１）
図１、図２、図３、及び図４を参照して、本発明の実施の形態１に係るジャッキベースについて説明する。図１に示すように、ジャッキベースＪＢ１は、概ね平板状に形成され、強化層Ｌｒ（第１の層）、上層Ｌｔ（第２の層）、及び下層Ｌｂ（第３の層）の３層を含む。なお、上層Ｌｔおよび下層Ｌｂはそれぞれ、ゴム材料で形成されており、強化層Ｌｒの両面に熱溶着されている。
【００２６】
図２及び図３を参照して、強化層Ｌｒの構成について説明する。強化層Ｌｒは中心の布の繊維層ＬｆにゴムＲが染みこまされ、さらに１枚のベルトに折り重ねられて圧縮加硫されて形成されている。繊維層Ｌｆは緯線Ｆｏと経線Ｆａが交互に編み込まれており（図２）、その間及び周囲に染みこませたゴムＲにより繊維層Ｌｆが弾性的に固定されて構成されている（図２、図３）。繊維層Ｌｆの表面には、所定の厚さのゴム層が形成されている。主に、このゴム層が、強化層Ｌｒと上層Ｌｔ及び下層Ｌｂとの熱溶着に供される。強化層Ｌｒとしては、ベルトコンベア用に市販されている平ベルトが利用でき、製造コスト的にも有利である。
【００２７】
図４を参照して、ジャッキベースＪＢ１の機能について説明する。図４に示すように、ジャッキベースＪＢ１の上層Ｌｔの好ましくは中央部でジャッキＪを受け止め、下層Ｌｂの下面の全体で地面に接地される。上層Ｌｔ及び下層Ｌｂは弾性体であるゴム材料で形成されているので、ジャッキＪの形状に応じて弾性的に変形しながら、荷重Ｆを分散しながら強化層Ｌｒに伝える。分散荷重Ｆｄは、強化層Ｌｒの中央部（ジャッキＪの直下）で最大Ｆｄｍａｘとなり、周囲に向かうほど小さくなり、最外縁部で最小Ｆｄｍｉｎとなる。
【００２８】
強化層Ｌｒは、その全面で分散して伝えられる荷重Ｆを受け止める。なお、強化層Ｌｒは上述のように、緯線Ｆｏと経線Ｆａが交互に編まれて構成された繊維層ＬｆがゴムＲによって弾性的に固定されているので、繊維層Ｌｆに対して垂直に伝えられる荷重は、緯線Ｆｏおよび経線Ｆａの抗張力に抗する状態で受け止められる。なお、繊維層Ｌｆに対して斜めに伝えられる荷重は、緯線Ｆｏおよび経線Ｆａの何れか、また両方の抗張力に抗する状態で受け止められる。
【００２９】
結果、強化層Ｌｒの中央部で受け止めた最大の分散荷重Ｆｄｍａｘは、中央部以外の残りの部分に伝えられ、周辺部での分散荷重Ｆｄ及び外縁部での最小分散荷重Ｆｄｍｉｎ等と合わされ、より均等化される。つまり、強化層Ｌｒの上面での荷重の分布に比べて、強化層Ｌｒの下面での荷重の分布はより平均化されたものになる。
【００３０】
このように、強化層Ｌｒの上面で平均化されたジャッキＪによる荷重Ｆは、強化層Ｌｒの下面から下層Ｌｂに向かって伝達される。ゴム材で形成された下層Ｌｂは、弾性変形しながら強化層Ｌｒから伝えられた荷重Ｆを分散しながら地面に伝える。下層Ｌｂの下面での荷重、つまり地面に伝えられる荷重の分布は、強化層Ｌｒの下面での分布と同様であり、ジャッキベースＪＢ１の地面に対する単位面積当たりの接地圧が効果的に低減できる。
【００３１】
なお、ジャッキＪによる荷重Ｆが伝えられると、上層Ｌｔ、強化層Ｌｒ、及び下層Ｌｂは、水平方向、つまり上層Ｌｔ、強化層Ｌｒ、及び下層Ｌｂの貼り合わせ面に平行な方向に変形しようとする。この場合、繊維層ＬｆにゴムＲが染みこまされ、圧縮加硫されて形成されている強化層Ｌｒに比べて、上層Ｌｔ及び下層Ｌｂの変形量は一般的に大きくなる傾向がある。しかしながら、ジャッキベースＪＢ１においては、上層ＬｔはジャッキＪを受け止める中央部で貼り合わせ面に対して垂直な方向へは大きく変形するが、水平方向への変形は比較的小さい。
【００３２】
さらに、上層Ｌｔ、強化層Ｌｒ、及び下層Ｌｂの３層の貼り合わせ面は、それぞれゴム材で溶着されており、相手側の変形に対して容易に追随するので、貼り合わせ部における水平方向への変形量の差の小ささと併せて、３層の互いに剥がれ難い効果を奏している。なおこの効果は、荷重Ｆがその向きを含めて動的に変化する、特に荷重Ｆが貼り合わせ面に対して、平行な方向に働く場合に有効である。なおさらに、強化層Ｌｒにおいては、内部の繊維層Ｌｆの緯線Ｆｏ及び経線Ｆａの何れか、或いは両方の抗張力によって、荷重Ｆを安定的かつ強靱に受け止めることができる。
【００３３】
さらに、下層Ｌｂはゴムで形成されているので、地面の形状に対する追随性にも優れている。よって、起伏の程度がゴムの弾性変形能内であれば、下層Ｌｂの下面のほぼ全面で地面に接地出来る。また、上層Ｌｔ及び下層Ｌｂはゴム材であり、強化層Ｌｒもゴムベルト材で構成されるため、ジャッキベースＪＢ１は、雨天時或いは水たまりでの作業環境での使用においても、錆や腐敗などによる品質劣化が防止できる。
【００３４】
また、ジャッキＪを介して、ジャッキベースＪＢ１に伝わる荷重Ｆが急激に変化する場合に生じる衝撃を、上層Ｌｔ、強化層Ｌｒ、及び下層Ｌｂという主にゴム材を含む３層構造が生むクッション性で効果的に吸収できる。これにより、作業装置の稼働中に、ジャッキベースＪＢ１の地面に対するグリップが失われることが防止される。
【００３５】
なお、上層Ｌｔ及び下層Ｌｂは、骨材として機能するゴムチップとゴムチップを繋ぐバインダとして生ゴムから成るゴム材が使用できる。これにより、ジャッキベースＪＢ１は、防振および空孔構造によるクッション性の優れたものとなる。このようなゴムチップとバインダからなる弾性材はゴムチップにリサイクルした例えば粒径１、２ｍｍ程度のゴム材をチップ化して混合したものなど既に知られるもの(例えば、日東化工製のグラデーション(商品名))を採用することができ、チップの材質、大きさ、配合割合などによって上層Ｌｔ及び下層Ｌｂの弾性を調整することができる。
【００３６】
ゴムチップの形状、大きさ、及びゴムチップと生ゴムとの配合割合は均一でない方が、ゴム材としての構造強度が向上するので好ましい。さらに、単位体積当たりに含まれるゴムチップの量はゴム材の部分によって構造強度が過度にばらつかないように決められる。なお、ゴムチップは、ゴム状弾性体でもよい。具体例としては、ゴムなどのエラストマ単体、例えば古タイヤ等を細断したもの、が用いられているとともに、そのバインダとしては従来と同等のエポキシ系樹脂を用いることが出来る。
【００３７】
なお、ゴムチップは、上層Ｌｔ及び下層Ｌｂを圧縮する（貼り合わせ面に垂直な）方向に掛かる荷重Ｆに対する抗力として働くと共に、上層Ｌｔ及び下層Ｌｂの水平（貼り合わせ面に平行な）方向への伸張を抑制する。これにより、荷重Ｆを受けた時点での、上層Ｌｔ及び下層Ｌｂの強化層Ｌｒとの水平方向の寸法差を抑えることができ、荷重Ｆが動的に変動する際にも、繊維層Ｌｆの機能と併せて、上層Ｌｔ及び下層Ｌｂが強化層Ｌｒから剥がれるのを防止できる。
【００３８】
（実施の形態２）
図５を参照して、本発明の実施の形態２に係るジャッキベースについて説明する。図５に示すように、ジャッキベースＪＢ２は、ジャッキベースＪＢ１において、強化層Ｌｒ（第４の層）がもう一層追加されると共に、両強化層Ｌｒの間がゴム材で充填されて中間層Ｌｍが形成されている。この２枚の強化層Ｌｒとゴム材で形成される中間層Ｌｍは、ジャッキＪ或いは地面に直接当接するものではなく、主にジャッキベースＪＢ２の高さ（厚さ）を増すために設けられる。つまり、ジャッキベースＪＢ１に関して述べたように、上層Ｌｔ及び下層Ｌｂの水平方向の伸張（特に強化層Ｌｒに比べて）を抑えるためには、上層Ｌｔ及び下層Ｌｂの厚さを制限する必要があり、結果的にジャッキベースＪＢ１自体の高さ（厚さ）も制限されて、要求を満たせないことがある。
【００３９】
このような、ジャッキベースＪＢ２に対する高（厚）さ要求に応じて、必要な数（ｎ）だけ中間層Ｌｍを設けることができる。なお、ｎ個の中間層Ｌｍ１〜Ｌｍｎを形成するためには、ｎ＋１個の強化層Ｌｒと、ｎ個のゴム層が必要であることはいうまでもない。さらに、強化層Ｌｒは上述のように、ジャッキＪによる荷重Ｆを平均化して下層に伝えるので、ｎ個の中間層（ｎ＋１個の強化層Ｌｒ）によって、荷重Ｆはより平均化して下層Ｌｂに伝えられて、下層Ｌｂの下面での単位面積あたりの接地圧はより平均化かつ低減される。
【実施例】
【００４０】
本発明の実施の形態に係るジャッキベースを作製し、下記の条件で強度試験を行った。当該ジャッキベースの形状は略直方体であり、長さが３７９ｍｍ、幅が２９９ｍｍ、厚さが５１ｍｍである。ジャッキベースの強化層Ｌｒの繊維層Ｌｆとして、直径１ｍｍのナイロン６６繊維を１層編みにしたものを用いた。繊維層Ｌｆにおいて、隣接する緯線Ｆｏ、Ｆｏの間隔及び隣接する経線Ｆａ、Ｆａの間隔は、約５ｍｍであった。
【００４１】
当該ジャッキベースの上面（上層Ｌｔの表面）に、作業用車両のジャッキの接地面に相当する直径（１５０ｍｍ）の治具に対する荷重を増加させながらジャッキベースの上面の変位量を測定した。
【００４２】
その結果、ジャッキベースの上面に３４１．５ｋＮの荷重をかけた時の、ジャッキベースの上面の変位量が２９．９ｍｍであり、荷重を取り除いた後のジャッキベースの上面の変位量は除荷直後に１．８ｍｍになり、除荷後５分が経過した時点で１．３ｍｍになり、そして除荷後１時間が経過した時点で１．１ｍｍになったことが確認された。なお、ここでかけた荷重はおよそ３５ｔ弱に相当し、通常ジャッキベースにかかる荷重（１４ｔ〜１７ｔ）のおよそ２倍の荷重である。
【００４３】
つまり、本発明の実施の形態に係るジャッキベースは、３４１．５ｋＮの荷重に対して破損することなく耐え、また荷重を取り除くと、ジャッキベースの上面の変形は１時間後には約２９分の１まで回復することが分かる。つまり、ジャッキベースの上面の変位量は、３４１．５ｋＮの荷重をかけた状態ではジャッキベースの厚さの約５９％であるが、除荷後１時間が経過した時点では約２％にまで回復する。
【産業上の利用可能性】
【００４４】
本発明は、重心が移動する作業装置が装備された車両の、作業装置或いは車両の姿勢の保持に利用することができる。
【符号の説明】
【００４５】
Ｊ  ジャッキ
ＪＢ、ＪＢ１、ＪＢ２、ＪＢａ、ＪＢｂ、ＪＢｃ、ＪＢｄ  ジャッキベース
Ｌｔ  上層（第２の層）
Ｌｂ  下層（第３の層）
Ｌｒ  強化層（第１の層、第４の層）
Ｌｍ  中間層
Ｌｆ  繊維層
Ｆａ  経線
Ｆｏ  緯線
Ｒ  ゴム
【図１】
0005780499.tif 000002
【図２】
0005780499.tif 000003
【図３】
0005780499.tif 000004
【図４】
0005780499.tif 000005
【図５】
0005780499.tif 000006
【図６】
0005780499.tif 000007
【図７】
0005780499.tif 000008
【図８】
0005780499.tif 000009
【図９】
0005780499.tif 000010
【図１０】
0005780499.tif 000011